(57)【要約】【課題】  不都合な現象を発生しにくくする。【解決手段】  空気調和機は、冷媒を圧縮する圧縮機４０と、冷房運転の場合には圧縮された冷媒から熱を排出させる熱交換器５０と、圧縮された冷媒の少なくとも一部を膨張させる膨張弁７０と、冷房運転の場合には膨張弁７０により膨張させられた冷媒に熱を吸収させる室内用の熱交換器２２と、単位時間あたりの、圧縮機４０が圧縮する冷媒の量を検知する検知センサ３６と、単位時間の間に圧縮される冷媒の量が変化すると、単位時間の間に膨張させられる冷媒の量が、単位時間の間に圧縮される冷媒の量の変化の割合よりもゆるやかな割合で変化するように、膨張弁７０を制御する第２演算部３４とを含む。【選択図】        図１
2005114207.tif 000002
【特許請求の範囲】
【請求項１】
冷媒を圧縮するための圧縮手段と、
圧縮された冷媒から熱を排出させるための排出手段と、
前記圧縮された冷媒の少なくとも一部を膨張させるための膨張手段と、
前記膨張手段により膨張させられた冷媒に熱を吸収させるための吸収手段と、
単位時間あたりの、前記圧縮手段が圧縮する前記冷媒の量を検知するための検知手段と、
単位時間の間に圧縮される前記冷媒の量が変化すると、単位時間の間に膨張させられる冷媒の量が、前記単位時間の間に圧縮される冷媒の量の変化の割合よりもゆるやかな割合で変化するように、前記膨張手段を制御するための制御手段とを含む、空気調和機。
【請求項２】
前記圧縮手段は圧縮機であり、前記検知手段は、前記圧縮機の回転数を検知する検知手段であることを特徴とする請求項１に記載の空気調和機。
【請求項３】
前記単位時間の間に膨張させられる冷媒の量の、変化の割合は、前記単位時間の間に圧縮される冷媒の量の変化の割合および予め定められた係数に基づいて定められる割合である、請求項１または２に記載の空気調和機。
【請求項４】
前記予め定められた係数は、前記単位時間の間に圧縮される冷媒の量が増加する場合と減少する場合とで異なる係数である、請求項３に記載の空気調和機。
【発明の詳細な説明】
【技術分野】
【０００１】
本発明は、空気調和機に関し、特に、圧縮される冷媒の量に基づいて膨張させられる冷媒の量を制御する空気調和機に関する。
【背景技術】
【０００２】
空気調和機において、冷媒の流量を適切に制御することは重要な要素である。このことが温度の制御に大きく寄与するからである。そのため、たとえば圧縮機の出力に応じて冷媒の流量を制御するなどの工夫がなされている。
【０００３】
具体的には、特許文献１には、圧縮機の回転数に対応して最適な冷媒の流量を制御する冷凍冷蔵庫が開示されている。
【０００４】
しかしながら、特許文献１に開示されたような、圧縮機の回転数に対応して最適な冷媒の流量を制御する場合には、後述するような不都合な現象が発生しやすくなるという問題がある。
【０００５】
図７を参照して、従来の空気調和機すなわち圧縮機の回転数に対応して最適な冷媒の流量を制御する空気調和機の動作について説明する。たとえば、このような空気調和機の制御装置は、暖房運転時、室温が設定温度に近づくと、圧縮機の回転数を減少させる。このとき、制御装置は、その時々の圧縮機の回転数と過去の圧縮機の回転数との差に基づき回転数の変化量を算出する（Ｓ３００）。回転数の変化量が算出されると、そのような制御装置は、過去の圧縮機の回転数の値を、その時々の圧縮機の回転数の値で更新する（Ｓ３２０）。過去の圧縮機の回転数の値が更新されると、そのような制御装置は、Ｓ３００にて算出した回転数の変化量に係数Ｋ（１）を乗算して膨張弁の開度の変化量を算出する。これにより、膨張弁の開度は、圧縮機の回転数の変化に比例して変化するように制御されることになる。膨張弁の開度の変化量が算出されると、圧縮機の回転数に対応して冷媒流量を制御する弁（特許文献１の場合、この弁は二方弁である。最近の空気調和機には、二方弁に代えて膨張弁が用いられることが多い。）は、直ちに閉まって冷媒の量を減少させる（Ｓ３４０）。すなわち、圧縮機の回転数に変化が生じた場合、その変化に対して、冷媒流量調節装置（二方弁や膨張弁）の開度は追従する。図８に、このときの圧縮機の回転数と冷媒の単位時間あたりの流量との時間的な推移を示す。冷媒流量調節装置の開度が圧縮機の回転数に追従する場合に、冷媒流量調節装置が早く開いたりあるいは閉じたりするために冷媒流量が急増加あるいは急減少する。それにより熱交換器の温度が急上昇または急下降し、熱交換器の温度等からなる冷凍サイクルの変化は、熱交換器の温度が緩やかに変化する理想的な冷凍サイクルの変化とはほど遠いものとなり、上述した不都合な現象が発生する。たとえば、暖房運転の時、室温が設定温度に近づくと、空気調和機は圧縮機の回転数を減少させて室内機の吹出し温度を調整する。このとき、霜取り運転の必要がないにも拘らず霜取り運転を行なってしまう（空除霜）ことがある。空除霜を行っている最中は、部屋を暖房することができないので、空除霜が頻繁に発生すると部屋がなかなか暖まらないため使用性が悪くなってしまう。
【特許文献１】特開昭６０−１４０７６号公報
【発明の開示】
【発明が解決しようとする課題】
【０００６】
本発明は上述の問題点を解決するためになされたものであって、その目的は、不都合な現象が発生しにくい空気調和機を提供することにある。
【課題を解決するための手段】
【０００７】
上記目的を達成するために、本発明のある局面にしたがうと、空気調和機は、冷媒を圧縮するための圧縮手段と、圧縮された冷媒から熱を排出させるための排出手段と、圧縮された冷媒の少なくとも一部を膨張させるための膨張手段と、膨張手段により膨張させられた冷媒に熱を吸収させるための吸収手段と、単位時間あたりの、圧縮手段が圧縮する冷媒の量を検知するための検知手段と、単位時間の間に圧縮される冷媒の量が変化すると、単位時間の間に膨張させられる冷媒の量が、単位時間の間に圧縮される冷媒の量の変化の割合よりもゆるやかな割合で変化するように、膨張手段を制御するための制御手段とを含む。
【０００８】
すなわち、圧縮手段は、冷媒を圧縮する。排出手段は、圧縮された冷媒から熱を排出させる。膨張手段は、圧縮された冷媒の少なくとも一部を膨張させる。吸収手段は、膨張手段により膨張させられた冷媒に熱を吸収させる。検知手段は、単位時間あたりの、圧縮手段が圧縮する冷媒の量を検知する。制御手段は、単位時間の間に圧縮される冷媒の量が変化すると、単位時間の間に膨張させられる冷媒の量が、単位時間の間に圧縮される冷媒の量の変化の割合よりもゆるやかな割合で変化するように、膨張手段を制御する。これにより、単位時間の間に膨張させられる冷媒の量の変化はゆるやかになる。単位時間の間に膨張させられる冷媒の量の変化がゆるやかになると、不都合な現象が発生しにくくなる。その結果、不都合な現象が発生しにくい空気調和機を提供することができる。
【０００９】
もしくは、上述の圧縮手段は圧縮機であることが望ましい。検知手段は、圧縮機の回転数を検知する検知手段であることが望ましい。
【００１０】
すなわち、検知手段は、圧縮機の回転数を検知する。これにより、検知手段は、単位時間あたりの、圧縮手段が圧縮する冷媒の量を、特に低い誤差で検知できる。冷媒の量が特に低い誤差で検知されると、制御手段は、より的確に膨張手段を制御できる。その結果、不都合な現象がより発生しにくい空気調和機を提供することができる。
【００１１】
また、上述の単位時間の間に膨張させられる冷媒の量の、変化の割合は、単位時間の間に圧縮される冷媒の量の変化の割合および予め定められた係数に基づいて定められる割合であることが望ましい。
【００１２】
すなわち、単位時間の間に膨張させられる冷媒の量の変化の割合は、単位時間の間に圧縮される冷媒の量の変化の割合および予め定められた係数に基づいて定められる。これにより、単位時間の間に膨張させられる冷媒の量の変化を、より適切にすることができる。単位時間の間に膨張させられる冷媒の量の変化がより適切になると、不都合な現象がより発生しにくくなる。その結果、不都合な現象がより発生しにくい空気調和機を提供することができる。
【００１３】
もしくは、上述の予め定められた係数は、単位時間の間に圧縮される冷媒の量が増加する場合と減少する場合とで異なる係数であることが望ましい。
【００１４】
すなわち、単位時間の間に膨張させられる冷媒の量の変化の割合は、単位時間の間に圧縮される冷媒の量が増加する場合と減少する場合とで異なる係数に基づいて定められる。これにより、単位時間の間に膨張させられる冷媒の量の変化を、空気調和機の仕様に応じて、さらに適切にすることができる。単位時間の間に膨張させられる冷媒の量の変化がさらに適切になると、不都合な現象がさらに発生しにくくなる。その結果、不都合な現象がさらに発生しにくい空気調和機を提供することができる。
【発明の効果】
【００１５】
本発明に係る空気調和機は、不都合な現象を発生しにくくできる。
【発明を実施するための最良の形態】
【００１６】
以下、図面を参照しつつ、本発明の実施の形態について説明する。以下の説明では、同一の部品は同一の符号を付してある。それらの名称および機能も同一である。したがって、それらについての詳細な説明を繰返さない。
【００１７】
図１を参照して、空気調和機は、室外機１０と、室内機２０とを含む。室外機１０は、屋外に設置され、冷房運転の場合は排熱を排出し、暖房運転の場合は吸熱する。室内機２０は、屋内に設置され、室内機２０自身が設置された部屋の空気を冷房運転の場合は冷却し、暖房運転の場合は加熱する。
【００１８】
室外機１０は、制御部３０と、圧縮機４０と、熱交換器５０と、膨張弁７０とを含む。制御部３０は、圧縮機４０および膨張弁７０を制御する。圧縮機４０は、冷媒を圧縮し、循環させる。熱交換器５０は、圧縮された冷媒から熱を排出させる。膨張弁７０は、圧縮された冷媒を順次膨張させる。膨張弁７０により、圧縮された冷媒の少なくとも一部が膨張させられることになる。
【００１９】
室内機２０は、室内用の熱交換器２２を含む。冷房運転時、室内用の熱交換器２２は、膨張弁７０により膨張させられた冷媒に熱を吸収させる。これにより、室内の空気は冷却される。暖房運転時、室内用の熱交換器２２は、圧縮機４０により圧縮された冷媒から熱を排出させる。これにより、室内の空気は加熱される。
【００２０】
図２を参照して、制御部３０は、第１演算部３２と、第２演算部３４と、検知センサ３６とを含む。第１演算部３２は、圧縮機４０の回転数の補正値を算出する。第２演算部３４は、膨張弁７０の開度の変化量を算出する。第２演算部３４は、第２演算部３４自身が算出した変化量に基づいて膨張弁７０を制御する装置でもある。検知センサ３６は、圧縮機４０を駆動するモータ（図示せず）の回転数を検知する。本実施の形態の場合、圧縮機４０は、このモータの回転により冷媒を圧縮する。このモータの回転により冷媒が圧縮されるので、単位時間の間に圧縮される冷媒の量は、単位時間の間のモータの回転数（以下、圧縮機４０の回転数と称する。）に比例する。したがって、検知センサ３６は、圧縮手段が圧縮する冷媒の量を検知する装置である。なお、本実施の形態において、「単位時間」とは、長さが予め定められている時間をいう。
【００２１】
図３を参照して、空気調和機の制御部３０で実施されるプログラムは、膨張弁７０の制御に関し、以下のような制御構造を有する。
【００２２】
ステップ１００（以下、ステップをＳと略す）にて、検知センサ３６は、圧縮機４０の回転数を検知する。圧縮機４０の回転数が検知されると、検知センサ３６は、検知した回転数を第１演算部３２に出力する。
【００２３】
Ｓ１２０にて、第１演算部３２は、圧縮機４０の回転数（上述したように、実際には圧縮機４０を駆動するモータの、単位時間あたりの回転数である。本実施例ではｒｐｍ（ｒｅｖｏｌｕｔｉｏｎｓ  ｐｅｒ  ｍｉｎｕｔｅ  毎分・・・回転）を用いている。））が増加するか否かを判断する。圧縮機４０の回転数が増加すると判断した場合（Ｓ１２０にてＹＥＳ）、処理はＳ１４０へと移される。もしそうでないと（Ｓ１２０にてＮＯ）、処理はＳ１６０へと移される。
【００２４】
Ｓ１４０にて、第１演算部３２は、係数Ｃ（１）に「３」の値を、係数Ｃ（２）に「５」の値をそれぞれ設定する。具体的に説明すると、第１演算部３２は、第１演算部３２自身に内蔵されたレジスタのうち、係数Ｃ（１）に対応するレジスタ（図示せず）に、「３」の値を記憶させる。あわせて第１演算部３２は、第１演算部３２自身に内蔵されたレジスタのうち、係数Ｃ（２）に対応するレジスタ（図示せず）に、「５」の値を記憶させる。
【００２５】
Ｓ１６０にて、第１演算部３２は、係数Ｃ（１）および係数Ｃ（２）にそれぞれ「４」の値を設定する。このように、本実施の形態の場合、係数Ｃ（１）および係数Ｃ（２）は、圧縮機４０の回転数の増減に応じて、異なる値に設定される。すなわち、係数Ｃ（１）および係数Ｃ（２）は、単位時間の間に圧縮される冷媒の量が増加する場合と減少する場合とで異なる係数である。これは、冷凍サイクルにおいて、圧縮機の回転数が増加する場合と減少する場合とで、熱交換器の温度の変化の度合いが異なることを考慮するためである。このような考慮により、一層冷凍サイクルの変化に対応した、適切な制御が可能になる。
【００２６】
Ｓ１８０にて、制御部３０は、膨張弁７０の開度の変化量を算出する。具体的には、後述するＳ２２０〜Ｓ２８０の処理がこれに該当する。Ｓ２００にて、第２演算部３４は、算出された値に基づいて、膨張弁７０の開度を制御する。
【００２７】
図４を参照して、空気調和機の制御部３０で実施されるプログラムは、膨張弁７０の開度の算出に関し、以下のような制御構造を有する。
【００２８】
Ｓ２２０にて、第１演算部３２は、過去に算出された圧縮機４０の回転数の補正値（過去の補正値）およびＳ２２０が実施される時点の圧縮機４０の回転数（現在の回転数）に基づき、現在の回転数の補正値（現在の補正値）を算出する。具体的には、第１演算部３２は、以下の式に基づき、現在の補正値を算出する。この式により、単位時間の間に膨張させられる冷媒の量の変化の割合は、単位時間の間に圧縮される冷媒の量の変化の割合よりもゆるやかになる（詳細な理由は後述する。）。しかも、単位時間の間に膨張させられる冷媒の量の、変化の割合は、単位時間の間に圧縮される冷媒の量の変化の割合および予め定められた係数（すなわち係数Ｃ（１）および係数Ｃ（２））に基づいて定められることになる。
【００２９】
（現在の補正値）＝｛Ｃ（１）×（過去の補正値）＋Ｃ（２）×（現在の回転数）｝÷｛Ｃ（１）＋Ｃ（２）｝
Ｓ２４０にて、第１演算部３２は、以下の式に基づいて、圧縮機４０の回転数の補正値の変化量（補正値の変化量）を算出する。
【００３０】
（補正値の変化量）＝（現在の補正値）−（過去の補正値）
Ｓ２６０にて、第１演算部３２は、過去の補正値をＳ２２０にて求めた現在の補正値に更新する。具体的には、第１演算部３２は、第１演算部３２自身に内蔵された、過去の補正値を記憶するレジスタ（図示せず）に、Ｓ２２０にて求めた現在の補正値を記憶させる。Ｓ２８０にて、第２演算部３４は、補正値の変化量に係数Ｋ（２）を乗算して膨張弁７０の開度の変化量を算出する。
【００３１】
図５を参照して、以上のような構造およびフローチャートに基づく、空気調和機の動作について説明する。
【００３２】
図５におけるフローチャート通過回数が「０」回の場合、検知センサ３６は、圧縮機４０の回転数（この場合、毎分「２０００」回転）を検知する。圧縮機４０の回転数が検知されると、検知センサ３６は、検知した回転数を第１演算部３２に出力する（Ｓ１００）。回転数が出力されると、第１演算部３２は、検知センサ３６が検知した値に基づき、圧縮機４０の回転数が増加するか否かを判断する（Ｓ１２０）。この場合、圧縮機４０の回転数は減少するので（Ｓ１２０にてＮＯ）、第１演算部３２は、係数Ｃ（１）および係数Ｃ（２）にそれぞれ「４」の値を設定する（Ｓ１６０）。値が設定されると、第１演算部３２は、現在の補正値を算出する（Ｓ２２０）。このとき、過去の補正値は「２０００」である。現在の補正値は、係数Ｃ（１）および係数Ｃ（２）が「４」なので、以下の式により「２０００」となる。
【００３３】
（現在の補正値）＝（４×２０００＋４×２０００）÷（４＋４）
＝１６０００÷８
＝２０００
現在の補正値が算出されると、第１演算部３２は、補正値の変化量を算出する（Ｓ２４０）。この場合、補正値の変化量は「０」である。補正値の変化量が算出されると、第１演算部３２は、過去の補正値を現在の補正値に更新する（Ｓ２６０）。補正値が更新されると、第２演算部３４は、補正値の変化量に係数Ｋ（２）を乗算して膨張弁７０の開度の変化量を算出する（Ｓ２８０）。この場合、補正値の変化量は「０」なので開度の変化量は「０」である。開度の変化量が算出されると、第２演算部３４は、算出された値に基づいて、膨張弁７０の開度を制御する（Ｓ２００）。
【００３４】
膨張弁７０の開度が制御されると、第１演算部３２は、Ｓ１００〜Ｓ１６０の処理を経て（フローチャート通過回数が「１」回となる。）、再び現在の補正値を算出する（Ｓ２２０）。この場合、既に圧縮機４０の回転数は「１０００」に減少している。したがって、現在の補正値は、以下の式により「１５００」となる。
【００３５】
（現在の補正値）＝（４×２０００＋４×１０００）÷（４＋４）
＝１２０００÷８
＝１５００
現在の補正値が算出されると、第１演算部３２は、再び補正値の変化量を求める（Ｓ２４０）。この場合、現在の補正値は「１５００」、過去の補正値は「２０００」なので、補正値の変化量は「−５００」となる。補正値の変化量が算出されると、Ｓ２６０を経て、第２演算部３４は、開度の変化量を算出する（Ｓ２８０）。この場合、補正値の変化量は「−５００」なので、開度の変化量は「０」ではない。開度の変化量が算出されると、第２演算部３４は、開度の変化量の算出値に基づいて、膨張弁７０の開度を制御する（Ｓ２００）。開度の変化量の算出値は、現在の回転数のみでなく過去の補正値にも基づいて定められる。開度の変化量の算出値が、過去の補正値に基づいて定められると、開度の変化の割合は、圧縮機４０の回転数の変化の割合よりもゆるやかになる。このことはＳ２２０において用いられた式から明らかである。単位時間の間に圧縮される冷媒の量は、圧縮機４０の回転数に比例するので、単位時間の間に圧縮される冷媒の量の変化の割合は、圧縮機４０の回転数の変化の割合に比例する。一方、単位時間の間に膨張させられる冷媒の量は、膨張弁７０の開度に比例する。単位時間の間に膨張させられる冷媒の量は、膨張弁７０の開度に比例するので、単位時間の間に膨張させられる冷媒の量の変化の割合は、膨張弁７０の開度の変化の割合に比例する。これらにより、第２演算部３４は、単位時間の間に圧縮される冷媒の量が変化すると、単位時間の間に膨張させられる冷媒の量が、単位時間の間に圧縮される冷媒の量の変化の割合よりもゆるやかな割合で変化するように、膨張弁７０を制御することになる。
【００３６】
以下、同様の処理を繰返し、現在の補正値は、次第に圧縮機４０の実際の回転数「１０００」に収束する。図５における「現在の補正値」が、「フローチャート通過回数」の増加とともに次第に「１０００」減少するのは、このような動作の結果である。図６を参照して、このときの圧縮機４０の回転数と現在の補正値の推移を説明する。圧縮機４０の回転数が比較的急激なカーブを描いて変化するのに対し、現在の補正値は比較的ゆるやかな傾斜に沿って変化する。
【００３７】
以上のようにして、本実施の形態に係る空気調和機は、冷媒の流量の変化を理想とする冷凍サイクルの変化のようにゆるやかにすることができる（言換えると、圧縮機の回転数の微妙な変化に対し、圧縮機の回転数の補正値が敏感に変化しなくなる）。冷媒の流量の変化が理想とする冷凍サイクルの変化のようにゆるやかにされると、不都合な現象が発生しにくくなる。この不都合な現象は、冷媒流量調節装置の開度が圧縮機の回転数にリアルタイムに追従することに根本的な原因がある。例えば、暖房運転時において、冷媒流量調節装置（この場合仮に膨張弁のこととする。）の開度が圧縮機の回転数の減少にリアルタイムに追従すると、膨張弁が早く閉まり過ぎる。膨張弁が早く閉まり過ぎると、室外機の熱交換器を通過する冷媒の量が急激に減少する。冷媒の量が急激に減少すると、冷媒の量が減少した熱交換器の温度は一時的に下がり過ぎる。熱交換器の温度が一時的に下がり過ぎると、上述した空除霜などの不都合な現象が発生する。これに対し、上述したように、本実施の形態に係る空気調和機は、予め定められた係数に基づいて、冷媒の流量の変化を理想的な冷凍サイクルの変化のようにゆるやかにすることができる。冷媒の流量の変化が、たとえば空気調和機の仕様などに応じて、予め定められた係数に基づいて理想的な冷凍サイクルの変化のようにゆるやかにされると、不都合な現象がより発生しにくくなり得る。しかも本実施の形態に係る空気調和機は、冷媒の流量が増加する場合と減少する場合とで異なる係数に基づいて、冷媒の流量の変化を理想的な冷凍サイクルの変化に近づけることができる。冷媒の流量の変化が、具体的に理想的な冷凍サイクルの変化に近づけられると、不都合な現象がさらに発生しにくくなり得る。その結果、不都合な現象が発生しにくい空気調和機を提供することができる。
【００３８】
なお、冷凍サイクルの変化が、圧縮機の回転数が増加する場合と減少する場合とでほぼ同じであるならば、係数Ｃ（１）および係数Ｃ（２）は圧縮機の回転数の増減に関わらず一定の値であっても構わない。
【００３９】
また、係数Ｃ（１）および係数Ｃ（２）は、空気調和機の仕様などに応じて任意に設定できる。これらの値を任意に設定することにより、単位時間の間に膨張させられる冷媒の量の変化の割合が、単位時間の間に圧縮される冷媒の量の変化の割合に比べどの程度ゆるやかに変化するか任意に設定できる。
【００４０】
ちなみに、係数Ｋ（２）は、空気調和機の仕様に応じて実験その他の方法により任意に定められる値である。たとえば、上述した係数Ｋ（１）すなわち従来の空気調和機における圧縮機の回転数の変化率と膨張弁の開度の変化率との関係に基づいて定められる値であってもよい。
【００４１】
さらに、膨張弁７０の開度は、必ずしも検知センサ３６が圧縮機４０の回転数を検知するたびに制御されなくてもよい。たとえば、検知センサ３６が圧縮機４０の回転数を任意の回数（たとえば２回、３回、もしくは４回など。）検知するたびに、膨張弁７０の開度は制御されてもよい。あるいは、タイマーによって定められた時に、膨張弁７０の開度は制御されてもよい。
【００４２】
このほか、Ｓ２６０の処理（過去の補正値を現在の補正値に更新する処理）は、Ｓ２８０の処理（膨張弁７０の開度の変化量を算出する処理）よりも先に実施されてもよい。すなわち、これらの処理は、順序が逆であってもよい。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態に係る空気調和機の構成図である。
【図２】本発明の実施の形態に係る制御部の制御ブロック図である。
【図３】本発明の実施の形態に係る膨張弁の制御の手順を示すフローチャートである。
【図４】本発明の実施の形態に係る膨張弁の開度を算出する処理の制御の手順を示すフローチャートである。
【図５】本発明の実施の形態における空気調和機の圧縮機の回転数と現在および過去の補正値との関係を示す図である。
【図６】本発明の実施の形態に係る空気調和機の圧縮機の回転数とその補正値との推移を表わす図である。
【図７】従来の空気調和機に係る膨張弁の開閉処理の制御の手順を示すフローチャートである。
【図８】従来の空気調和機の、圧縮機の回転数と冷媒の単位時間あたりの流量との時間的な推移を表わす図である。
【符号の説明】
【００４５】
１０  室外機、２０  室内機、２２  室内用の熱交換器、３０  制御部、３２  第１演算部、３４  第２演算部、３６  検知センサ、４０  圧縮機、５０  熱交換器、７０  膨張弁。
【図１】
2005114207.tif 000003
【図２】
2005114207.tif 000004
【図３】
2005114207.tif 000005
【図４】
2005114207.tif 000006
【図５】
2005114207.tif 000007
【図６】
2005114207.tif 000008
【図７】
2005114207.tif 000009
【図８】
2005114207.tif 000010